(57)【要約】【課題】コンクリート函体を水路として使用する場合、前後のコンクリート函体の接続箇所において簡単な構造で確実に止水を図ることができ、また、可撓性を有するから前後のコンクリート函体の間に生じる変位にも容易に対応でき、さらに、交換可能で保守管理も容易にできる。【解決手段】コンクリート函体４等による複数の地下構造物を縦列に接続して埋設する施工法において使用する前記地下構造物の継手構造で、前後に位置する地下構造物の接続端部の内面側をゴム製で細長帯状の継手である接続部材１４で接続し、該継手には長さ方向にそって中央に山形の湾曲部１４ａを形成した。【選択図】　　　　図１
2004084201.tif 000002
【特許請求の範囲】
【請求項１】
コンクリート函体等による複数の地下構造物を縦列に接続して埋設する施工法において使用する前記地下構造物の継手構造で、前後に位置する地下構造物の接続端部の内面側をゴム製で細長帯状の継手で接続し、該継手には長さ方向にそって中央に山形の湾曲部を形成したことを特徴とする地下構造物の継手構造。
【請求項２】
ゴム製で細長帯状の継手は、地下構造物の内側に周方向に連続させて巻回し、内側から地下構造物にボルトで固定する請求項１記載の地下構造物の継手構造。
【発明の詳細な説明】
【０００１】
【発明の属する技術分野】
本発明は、農業用水などの水路として使用する地下構造物の接続構造に関するものである。
【０００２】
【従来の技術】
例えばオープンシールド工法は開削工法（オープンカット工法）とシールド工法の長所を生かした合理性に富む工法である。図３にその概略を示すと、図中１はオープンシールド機で、これは左右の側壁板１ａとこれら側壁板１ａに連結する底板１ｂとからなる前面、後面及び上面を開口したシールド機である。
【０００３】
該オープンシールド機１は前記側壁板１ａと底板１ｂの先端を刃口１１として形成し、また側壁板１ａの中央又は後端近くに推進ジャッキ２を後方に向け上下に並べて配設する。図中３は隔壁を示す。
【０００４】
図示は省略するが、発進坑内にこのオープンシールド機１を設置して、オープンシールド機１の推進ジャッキ２を伸長して発進坑内の反力壁に反力をとってオープンシールド機１を前進させ、地下構造物を形成する第１番目のコンクリート函体４を上方から吊り降し、オープンシールド機１のテール部１ｃ内で縮めた推進ジャッキ２の後方にセットする。推進ジャッキ２と反力壁の間にはストラットを配設して適宜間隔調整をする。
【０００５】
また、発進坑は土留壁で構成し、オープンシールド機１を発進させるにはこの土留壁を一部鏡切りするが、必要に応じて薬液注入等で発進坑の前方部分に地盤改良を施しておくこともある。
【０００６】
ショベル等の掘削機９でオープンシールド機１の前面又は上面から土砂を掘削しかつ排土する。この排土工程と同時またはその後に推進ジャッキ２を伸長してオープンシールド機１を前進させる。この前進工程の場合、コンクリート函体４の前にはボックス鋼材又は型鋼を用いた枠体よりなる押角８を配設する。
【０００７】
そして前記第１番目のコンクリート函体４の前に第２番目のコンクリート函体４をオープンシールド機１のテール部１ｃ内に吊り降す。以下、同様の掘削・排土工程、前進工程、コンクリート函体４のセット工程を適宜繰返して、順次コンクリート函体４をオープンシールド機１の前進に伴い縦列に地中に残置し、さらにこのコンクリート函体４の上面に埋戻し５を施す。
【０００８】
なお、コンクリート函体４をオープンシールド機１のテール部１ｃ内に吊り降す際には、コンクリートブロック等による高さ調整材７をコンクリート函体４下に配設し、このテール部１ｃ内でコンクリート函体４の左右および下部の空隙にグラウト材６を充填する。
【０００９】
このようにして、オープンシールド機１が到達坑まで達したならばこれを撤去して工事を完了する。
【００１０】
コンクリート函体４は、前記のようにオープンシールド機１のテール部１ｃ内に吊り降され、オープンシールド機１の前進とともに該テール部１ｃから出て地中に残されていくものであるが、該コンクリート函体４は鉄筋コンクリート製のもので、図４に示すように左側板４ａ、右側板４ｂと上床板４ｃと下床板４ｄとからなるもので、前後面が開口１０として開放されている。
【００１１】
ところで、コンクリート函体４同士の接続は、図示は省略するが、コーナー部に前後方向の貫通孔を設け、長ボルト等の締結をもって縦列に並ぶものを剛に接続していく。
【００１２】
しかし、地下構造物として縦列に接続されるコンクリート函体４は、地震や軟弱地盤を原因とする地盤の不等沈下などの影響を受けることがあり、この変位に対応できず継手部の破壊をもたらすおそれがある。また、水路として使用する場合は、止水性が要求される。
【００１３】
そこで、かかる不都合を解消する継手として、従来は例えば図５に示すように、コンクリート函体４の直線部分である水平部および垂直部の接続箇所については、ゴム板などの止水板１２を前後のコンクリート函体４に跨がらせて取り付け、接続箇所のコーナー部分についてはブチルゴムなどによる止水板１３を貼着している。
【００１４】
【発明が解決しようとする課題】
前後のコンクリート函体４の接続箇所を、直線部分とコーナー部分とに分けてそれぞれ別の止水板１２と止水板１３とを取り付けているため、止水板１２と止水板１３との接合部分から水漏れが生じることがあり、確実に止水することができなかった。また、前後のコンクリート函体に地震などが原因の変位が発生した場合、止水板１２や止水板１３に遊びがなくこれが撓まないと、接続部がこれに追随できず、その結果、水漏れが発生することもある。
【００１５】
本発明の目的は前記従来例の不都合を解消し、コンクリート函体を水路として使用する場合、前後のコンクリート函体の接続箇所において簡単な構造で確実に止水を図ることができ、また、可撓性を有するから前後のコンクリート函体の間に生じる変位にも容易に対応でき、さらに、交換可能で保守管理も容易な地下構造物の継手構造を提供することにある。
【００１６】
【課題を解決するための手段】
本発明は前記目的を達成するため、第１に、コンクリート函体等による複数の地下構造物を縦列に接続して埋設する施工法において使用する前記地下構造物の継手構造で、前後に位置する地下構造物の接続端部の内面側をゴム製で細長帯状の継手で接続し、該継手には長さ方向にそって中央に山形の湾曲部を形成したことを要旨とするものである。
【００１７】
第２に、ゴム製で細長帯状の継手は、地下構造物の内側に周方向に連続させて巻回し、内側から地下構造物にボルトで固定することを要旨とするものである。
【００１８】
請求項１記載の本発明によれば、継手に形成した長さ方向にそう中央の山形の湾曲部が、前後のコンクリート函体の間に生じる変位を吸収する。よって、簡便な構造で水漏れの発生なども防止できる。
【００１９】
請求項２記載の本発明によれば、前記作用に加えて、継手はコンクリート函体の内側に周方向に連続させて配設したから、従来のようにコーナー部と直線部との境に継手の接続箇所が発生することがなく、水漏れのおそれがない。また、継手はコンクリート函体の内側からボルトでコンクリート函体に固定したから、ボルトを外すだけで、継手の交換が簡単にでき、保守点検が容易になる。
【００２０】
【発明の実施の形態】
以下、図面について本発明の実施の形態を詳細に説明する。図１は本発明の地下構造物の継手構造の実施形態を示す直線部分の縦断側面図、図２は同上コーナー分の縦断側面図で、本発明の地下構造物として、オープンシールド工法で使用するコンクリート函体４を例にとって説明する。オープンシールド工法の基本構成は既に説明したとおりであるから、ここでの詳細な説明は省略し、同一の構成要素には同一の参照符号を付してある。また、本発明で使用するコンクリート函体４も図４に示すものと同様であり、例えば水路などに使用するものである。
【００２１】
本発明のコンクリート函体４の接続構造は、図１、図２に示すように前後のコンクリート函体４の接続部の内側に、可撓性を有する部材としてゴム製で細長帯状の接続部材１４を周方向に連続させて巻回させ、内側からボルト１５で固定するもので、前記接続部材１４には長さ方向にそって中央に山形の湾曲部１４ａを形成した。
【００２２】
この場合、前後のコンクリート函体４は、地震などによる変位に対応するように僅かな隙間を設けて接続し、湾曲部１４ａがこの隙間の開口端に位置するように配置する。
【００２３】
ボルト１５による固定は、インサートアンカー１８をコンクリート函体４の成型時に予め埋設しておき、該コンクリート函体４の水平部や垂直部などの直接部分については、図１に示すようにチャンネル状の締着板１６を介して接続部材１４をコンクリート函体４に締めつけ固定する。
【００２４】
また、コンクリート函体４のコーナー部分については、図２に示すように平板状の締着板１７を介して接続部材１４をコンクリート函体４に締めつけ固定する。
【００２５】
次に作用について説明する。前後のコンクリート函体４に地震などが原因の変位が発生した場合、接続部材１４の湾曲部１４ａが撓むことにより、または、直線的にのびることにより、この撓みや伸びで変位が吸収される。よって、前後のコンクリート函体４の変位に接続部分も追随できる。
【００２６】
また、接続部材１４は、接続部に周方向にそって連続して巻回されているから、従来のようにコーナー部に継ぎ目が発生しない。よって、この部分からの水漏れのおそれもない。
【００２７】
さらに、接続箇所の保守管理に際しては、ボルト１５による接続部材１４のコンクリート函体４への固定は、コンクリート函体４の内側から行ってあるから、ボルト１５を外すことで接続部材１４を交換できる。
【００２８】
【発明の効果】
以上述べたように本発明の地下構造物の継手構造は、コンクリート函体を水路として使用する場合、前後のコンクリート函体の接続箇所において簡単な構造で確実に止水を図ることができ、また、可撓性を有するから前後のコンクリート函体の間に生じる変位にも容易に対応でき、さらに、交換可能で保守管理も容易なものである。
【図面の簡単な説明】
【図１】本発明の地下構造物の継手構造の実施形態を示す要部である直線部分の縦断側面図である。
【図２】本発明の地下構造物の継手構造の実施形態を示す要部であるコーナー部分の縦断側面図である。
【図３】オープンシールド工法の概要を示す縦断側面図である。
【図４】オープンシールド工法で使用するコンクリート函体の斜視図である。
【図５】従来の地下構造物の継手構造を示す要部の正面図である。
【符号の説明】
１…オープンシールド機
１ａ…側壁板　　　　　　　　　　　１ｂ…底板
１ｃ…テール部　　　　　　　　　　２…推進ジャッキ
３…隔壁　　　　　　　　　　　　　４…コンクリート函体
４ａ…左側板　　　　　　　　　　　　４ｂ…右側板
４ｃ…上床板　　　　　　　　　　　４ｄ…下床板
４ｅ…接続端部
５…埋戻し　　　　　　　　　　　　６…グラウト材
７…高さ調整材　　　　　　　　　　８…押角
９…掘削機　　　　　　　　　　　　１０…開口
１１…刃口　　　　　　　　　　　　　１２…止水板
１３…止水板　　　　　　　　　　　　１４…接続部材
１４ａ…湾曲部
１５…ボルト　　　　　　　　　　　　１６…締着板
１７…締着板　　　　　　　　　　　　１８…インサートアンカー
【図１】
2004084201.tif 000003
【図２】
2004084201.tif 000004
【図３】
2004084201.tif 000005
【図４】
2004084201.tif 000006
【図５】
2004084201.tif 000007